(57)【特許請求の範囲】
【請求項１】
金属板製の筐体を有し、前記筐体から離れる向きを前方とし前記筐体の内部に向く向きを後方としたときに、前記筐体の前方の端部に合成樹脂製の前部パネルが固定され、前記前部パネルの前方に表示装置が設置されている車載用表示装置において、
前記表示装置は、前記筐体の前方の端部よりもその面積が大きく、前記前部パネルは、前記筐体の側面よりも外側へ張り出した張り出し部を有しており、前記張り出し部の後方に向く背部が金属製の補強板で補強されており、
前記表示装置は、背部から後方へ突出する突出部を有し、前記突出部は、前記筐体の側面から張り出すことなく設置され、前記前部パネルは前記突出部と対向する対向部を有しており、前記合成樹脂製の張り出し部の背部が、前記対向部の背部よりも前方に位置し、前記張り出し部の背部に固定された前記補強板が、前記筐体の前記端部よりも前方に位置していることを特徴とする車載用表示装置。
【請求項２】
前記前部パネルの前記張り出し部に、背部から後方へ突出する突起が一体に形成され、前記補強板には後方へ隆起して変形した隆起部が一体に形成されており、前記突起が前記隆起部の内部に延びている請求項１記載の車載用表示装置。
【請求項３】
前記補強板に、前記筐体の第１の側面を構成する金属板の縁部を挟む挟持片と、前記第１の側面と直交する第２の側面の外部にねじ止め固定される固定片とが設けられている請求項１または２記載の車載用表示装置。
【請求項４】
前記第２の側面が、前記筐体の内部に向けて窪む窪み部を有し、前記固定片が前記窪み部内でねじ止め固定されており、前記固定片に形成された当接部が前記窪み部内で前記第１の側面と直交する向きに移動余裕を有している請求項３記載の車載用表示装置。
【請求項５】
前記固定片の前記当接部は、小突起である請求項４記載の車載用表示装置。
【請求項６】
前記張り出し部は、前記筐体よりも下向きに張り出している請求項１ないし５のいずれかに記載の車載用表示装置。
【請求項７】
前記表示装置は、前記前部パネルの前方で、前後方向に対して垂直な姿勢と、下部が前方へ移動する突出姿勢との間で移動可能である請求項１ないし６のいずかに記載の車載用表示装置。
【発明の詳細な説明】
【技術分野】
【０００１】
本発明は、車体に取り付けられる筐体と、前記筐体の前方に配置された表示装置とを備えた車載用表示装置に係り、特に、筐体の寸法よりも大きな表示装置が設置される車載用表示装置に関する。
【背景技術】
【０００２】
以下の特許文献１に車載用表示装置に関する発明が開示されている。
この車載用表示装置は、車室内のインストルメントパネルなどに埋設される金属製の筐体を有し、この筐体の前部に液晶表示パネルを内蔵した表示装置が設置されている。筐体の内部には、ＣＤやＤＶＤを再生するディスク装置や、回路基板などが内蔵されている。
【０００３】
表示装置は、筐体の前部で垂直となる姿勢と、下端が前方へ突出する突出姿勢とに移動可能である。表示装置が突出姿勢のときに、表示装置の上方から前記ディスク装置へのディスクの装填などが可能になる。
【先行技術文献】
【特許文献】
【０００４】
【特許文献１】特開２００５−７５０２５号公報
【発明の概要】
【発明が解決しようとする課題】
【０００５】
車載用の電子機器は、筐体の大きさが規格で決められている。この規格はいわゆる１ＤＩＮや２ＤＩＮである。前記特許文献１に記載された車載用表示装置の筐体は２ＤＩＮサイズである。
【０００６】
筐体が２ＤＩＮサイズの場合には、前部に設置される表示装置として７インチの画面サイズを有するものが限界であり、それよりも大きい画面を有する液晶表示パネルは設置できていないのが現状である。
【０００７】
本発明は、上記従来の課題を解決するものであり、筐体の前部に、筐体の寸法よりも大きい面積の表示装置を設置できるようにした車載用表示装置を提供することを目的としている。
【０００８】
また本発明は、大きい面積の表示装置を設置したときに、筐体の側面からの張り出し部の強度を確保し、且つ張り出し部の寸法も薄くできる車載用表示装置を提供することを目的としている。
【課題を解決するための手段】
【０００９】
本発明は、金属板製の筐体を有し、前記筐体から離れる向きを前方とし前記筐体の内部に向く向きを後方としたときに、前記筐体の前方の端部に合成樹脂製の前部パネルが固定され、前記前部パネルの前方に表示装置が設置されている車載用表示装置において、
前記表示装置は、前記筐体の前方の端部よりもその面積が大きく、前記前部パネルは、前記筐体の側面よりも外側へ張り出した張り出し部を有しており、前記張り出し部の後方に向く背部が金属製の補強板で補強されており、
前記表示装置は、背部から後方へ突出する突出部を有し、前記突出部は、前記筐体の側面から張り出すことなく設置され、前記前部パネルは前記突出部と対向する対向部を有しており、前記合成樹脂製の張り出し部の背部が、前記対向部の背部よりも前方に位置し、前記張り出し部の背部に固定された前記補強板が、前記筐体の前記端部よりも前方に位置していることを特徴とするものである。
【００１０】
本発明の車載用表示装置は、車体に設置される筐体の前部に、合成樹脂製の大きめの前部パネルを設置することで、筐体の前端よりも大きい面積の表示装置を設置することができる。また、前部パネルは、筐体から張り出している部分が金属板で補強されているため、大きな面積の表示装置を十分な強度で支持することができる。
【００１２】
液晶表示パネルなどを搭載した表示装置は、その背部に駆動回路やその他の電子回路を収納する突出部を設けることが必要である。本発明では、突出部の面積を筐体の端部の面積よりも小さくして、突出部を筐体の前端に対向させることで、前部パネルの張り出し部に突出部が存在しない構造にしている。そのため、前部パネルの張り出し部を、筐体の端部よりも前方に配置することができ、張り出し分の後方に、取り出し部を補強する補強板の配置スペースを確保でき、また張り出し部が車室内に位置する他の部材に当たりにくくなる。
【００１３】
本発明は、前記前部パネルの前記張り出し部に、背部から後方へ突出する突起が一体に形成され、前記補強板には後方へ隆起して変形した隆起部が一体に形成されており、前記突起が前記隆起部の内部に延びているものとして構成できる。
【００１４】
前述のように、前部パネルの張り出し部は、筐体の端部よりも前方に位置しているため、張り出し部の背部に前記突起と前記隆起部を配置するスペースを確保できる。前記突起および前記隆起部を設けることで、張り出し部の強度を高めることが可能になる。
【００１５】
また、本発明は、前記補強板に、前記筐体の第１の側面を構成する金属板の縁部を挟む挟持片と、前記第１の側面と直交する第２の側面の外部にねじ止め固定される固定片とが設けられているものである。
【００１６】
前記発明では、補強板で、張り出し部を補強でき、さらに補強板の挟持片と固定片で、前部パネルを筐体に強固に固定することができる。
【００１７】
この場合に、前記第２の側面が、前記筐体の内部に向けて窪む窪み部を有し、前記固定片が前記窪み部内でねじ止め固定されており、前記固定片に形成された当接部が前記窪み部内で前記第１の側面と直交する向きに移動余裕を有しているものが好ましく、前記固定片の前記当接部は、小突起であることがさらに好ましい。
【００１８】
固定片が、筐体の窪み部内で動けるため、挟持片で筐体の端部において金属板を挟む取付け作業が容易である。
【００１９】
本発明は、前記張り出し部は、前記筐体よりも下向きに張り出しているものである。前記張り出し部は、左右両側に張り出してもよいし、上方に張り出してもよい。
【００２０】
本発明は、前記表示装置は、前記前部パネルの前方で、前後方向に対して垂直な姿勢と、下部が前方へ移動する突出姿勢との間で移動可能である。
【発明の効果】
【００２１】
本発明は、筐体の端部の面積よりも大きな表示装置を設置でき、しかも大きな表示装置を設置するための前部パネルの張り出し部の強度を高めることができる。さらに、張り出し部を筐体の端部よりも前方に配置でき、張り出し部の背部に補強板を設けたり、強度を高める構造を配置しやすくなる。
【図面の簡単な説明】
【００２２】
【図１】本発明の実施の形態の車載用表示装置を示すものであり、表示装置が垂直姿勢となった斜視図、
【図２】車載用表示装置の表示装置が突出姿勢となった斜視図、
【図３】車載用表示装置の表示装置が垂直姿勢となった右側面図、
【図４】車載用表示装置の表示装置と前部パネルと補強板および筐体の一部を示す分解斜視図、
【図５】車載用表示装置の補強板と筐体の一部を前方から示す分解斜視図、
【図６】車載用表示装置を右側から見た部分断面図、
【図７】車載用表示装置の前部パネルの張り出し部と補強板とを示す部分断面図、
【発明を実施するための形態】
【００２３】
本発明の車載用表示装置１は、金属板で形成された筐体２を有している。筐体２は、前方の端部３の少なくとも一部が開口している。筐体２は、端部３と逆側に位置する後側面４と上側面５と下側面６および右側面７と左側面８を有している。ここで、各側面とは、筐体２を構成している板金材料の外表面を意味している。下側面６が第１の側面であり、右側面７と左側面８が第２の側面である。
【００２４】
筐体２の右側面７と左側面８との間の幅寸法がＷ０、上側面５と下側面６との高さ寸法がＨ０、端部３から後側面４までの奥行き寸法がＬ０である。前記寸法の筐体２はいわゆる２ＤＩＮサイズである。筐体２の端部３に合成樹脂製の前部パネル１０が固定されている。車両の室内では、前記筐体２がインストルメントパネルの内部に埋設され、前部パネル１０がインストルメントパネルの表面に現れる。そして、前部パネル１０の前方に表示装置４０が配置される。
【００２５】
図４などに示すように、前部パネル１０の背部に、金属板で形成された補強板３０が固定されている。補強板３０は、前部パネル１０の一部を補強するとともに、前部パネル１０を筐体２の端部３に固定する固定板としての機能も有している。
【００２６】
図１に示すように、前部パネル１０は、上端面１１と下端面１２および右端面１３と左端面１４を有している。右端面１３と左端面１４との幅寸法Ｗ１は、筐体２の幅寸法Ｗ０よりも大きく、上端面１１と下端面１２との高さ寸法Ｈ１は、筐体２の高さ寸法Ｈ０よりも大きい。
【００２７】
図３に示すように、前部パネル１０の下部は、筐体２の下側面６よりも寸法Ａだけ下側へ張り出している。前部パネル１０は、下側面６から張り出している部分が下部張り出し部１０ａである。図１に示すように、前部パネル１０の両側部は、それぞれ筐体２の右側面７および左側面８から寸法Ｂだけ張り出している。前部パネル１０は、右側面７から張り出している部分が右張り出し部１０ｂであり、左側面８から張り出している部分が左張り出し部１０ｃである。また、前部パネル１０の上端面１１は、筐体２の上側面５とほぼ同一面である。
【００２８】
図４と図６に示すように、前部パネル１０の背部１５では、上部に背部位置決め面１５ａが形成されている。背部位置決め面１５ａの下には段差部１５ｂを介して補強板取付面１５ｃが形成されている。補強板取付面１５ｃは、背部位置決め面１５ａよりもわずかに前方に位置している。補強板取付面１５ｃの下部には張り出し背面１５ｄが形成されている。張り出し背面１５ｄは、下部張り出し部１０ａの背面である。張り出し背面１５ｄは、補強板取付面１５ｃよりも前方に位置している。
【００２９】
図４と図６に示すように、張り出し背面１５ｄの下辺および左右両側辺には、後方（筐体２の方向）に向けて突出するリブ１６が一体に形成されている。リブ１６の先端面１６ａは、前記背部位置決め面１５ａおよび補強板取付面１５ｃよりも前方に位置している。
【００３０】
張り出し背面１５ｄには、後方に向けて突出する補強突起１７が一体に形成されている。補強突起１７は、張り出し背面１５ｄの左右方向に長く延びる２つの横補強リブ１７ａ，１７ａと、上下方向に延びる複数の縦補強リブ１７ｂを有している。縦補強リブ１７ｂは、上下に位置する横補強リブ１７ａ，１７ａと連続している。
【００３１】
図４に示すように、前部パネル１０の背部１５には、左右両側から後方に突出する支持片１８，１８が一体に設けられている。一方の支持片１８は、右張り出し部１０ｂの内側の境界部に位置し、他方の支持片１８は、左張り出し部１０ｃの内側の境界部に位置している。それぞれの支持片１８の先部に、取付け穴１８ａが貫通して形成されており、基部には、側方へ向けて突出する位置決め突起１８ｂが一体に形成されている。
【００３２】
図４に示すように、前部パネル１０には、右張り出し部１０ｂよりも内側で前後に貫通するリンク移動穴２１が形成され、左張り出し部１０ｃよりも内側で前後に貫通するリンク移動穴２１が形成されている。
【００３３】
さらに前部パネル１０の上部には、メディア挿入口として、ディスク挿入口２２が前後に貫通して形成されている。その下には、同じくメディア挿入口として、ハードディスクを内蔵したメディアパックの挿入口２３、およびメモリカードの挿入口２４が、前後に貫通して形成されている。
【００３４】
前部パネル１０の下部張り出し部１０ａおよび右張り出し部１０ｂと左張り出し部１０ｃの背部１５に補強板３０が取り付けられている。図４と図５に示すように、補強板３０は、金属板で折曲げ形成されている。
【００３５】
補強板３０は右張り出し部１０ｂと左張り出し部１０ｃに設置される取付け板部３１，３１を有している。取付け板部３１，３１の外側辺には前方に向けて折り曲げられた折曲げ片３１ａ，３１ａが設けられている。取付け板部３１は上下に細長い形状であるが、上下に延びる折曲げ片３１ａが折り曲げられているため、曲げ力に対する強度が高くなっている。
【００３６】
補強板３０には、前記取付け板部３１，３１の内側の縁片から後方に向けて折り投げられた固定片３２，３２が一体に形成されている。固定片３２，３２のそれぞれには、取付け穴３２ａと、それよりも基部側に位置する嵌合穴３２ｂが形成されている。それぞれの固定片３２，３２の先部には、下向きに突出する当接部３２ｃ，３２ｃが形成されている。図６に示すように、当接部３２ｃは下向きの突出する小突起であり、その下端は凸曲面となっている。固定片３２，３２よりも下部に、側部挟持片３３，３３が後方に向けて折り曲げられている。
【００３７】
補強板３０は、それぞれの取付け板部３１，３１の下部に、前方に向けて直角に折り曲げられた段差片３４が一体に形成されている。段差片３４の前縁からは、下向きに直角に折り曲げられた張り出し補強板部３５が一体に形成され、張り出し補強板部３５の下縁に、後方に向けて折り曲げられたリブ片３６が設けられている。また、張り出し補強板部３５には、後方に隆起する隆起部３７が一体に形成されている。隆起部３７は、張り出し補強板部３５の中央部分を、後方に向けて絞り成形したものである。
【００３８】
補強板３０が前部パネル１０の背部１５に取り付けられると、一方の取付け板部３１が、前部パネル１０の右張り出し部１０ｂの補強板取付面１５ｃに設置され、折曲げ片３１ａが、前部パネル１０の右端面１３の後方に形成された段差部１３ａに設置される。他方の取付け板部３１は、前部パネル１０の左張り出し部１０ｃの補強板取付面１５ｃに設置され、折曲げ片３１ａが、前部パネル１０の左端面１４の段差部１４ａに設置される。図３および図６に示すように、取付け板部３１，３１の後方に向く表面は、前部パネル１０の上部に形成された背部位置決め面１５ａとほぼ同一面となる。折曲げ片３１ａ，３１ａの外面は、右端面１３または左端面１４とほぼ同一面となる。
【００３９】
補強板３０が前部パネル１０の背部１５に取り付けられると、それぞれの取付け板部３１の内側の縁部に形成された固定片３２，３２が、前部パネル１０の背部１５に形成された支持片１８，１８の外側面に重ねられる。支持片１８，１８に形成された位置決め突起１８ｂが、固定片３２，３２に形成された嵌合穴３２ｂ，３２ｂと嵌合し、支持片１８，１８に形成された取付け穴１８ａ，１８ａが、固定片３２，３２に形成された取付け穴３２ａ，３２ａと一致する。
【００４０】
図６と図７に示すように、補強板３０の張り出し補強板部３５は、前部パネル１０の張り出し背面１５ｄに密着して取り付けられる。補強板３０の段差片３４は、前部パネル１０の張り出し背面１５ｄの上方に位置する段差部の内側に設置され、リブ片３６は、張り出し背面１５ｄの下縁に形成されたリブ１６の内側に設置される。そして、図７に示すように、前部パネル１０の張り出し背面１５ｄから隆起する補強突起１７の横補強リブ１７ａ，１７ａと複数の縦補強リブ１７ｂが、補強板３０の下部の隆起部３７の内部に入り込む。
【００４１】
図４と図５に示すように、補強板３０の取付け板部３１，３１に取付け穴３１ｂ，３１ｂが開口しており、固定ねじが取付け穴３１ｂ，３１ｂに挿入されて、前部パネル１０の補強板取付面１５ｃ，１５ｃに形成された雌ねじ部（図示省略）に螺着されて、取付け板部３１，３１が補強板取付面１５ｃ，１５ｃに固定される。補強板３０の張り出し補強板部３５の左右両側部に取付け穴３５ａ，３５ａが形成されている。固定ねじが取付け穴３５ａ，３５ａに挿入され、前部パネル１０の張り出し背面１５ｄに形成された雌ねじ部（図示せず）に螺着され、張り出し補強板部３５が張り出し背面１５ｄに固定される。
【００４２】
補強板３０の隆起部３７の左右両側にも取付け穴３７ａ，３７ａが開口している。取付け穴３７ａ，３７ａに固定ねじが挿入され、張り出し背面１５ｄに形成された雌ねじ部（図示せず）に固定ねじが螺着される。この固定力で、前部パネル１０に設けられた横補強リブ１７ａと縦補強リブ１７ｂの先端面が、補強板３０の隆起部３７の内面に押し付けられる。
【００４３】
補強板３０の左右の取付け板部３１，３１および折曲げ片３１ａ，３１ａによって、前部パネル１０の右張り出し部１０ｂと左張り出し部１０ｃが補強される。また、補強板３０の張り出し補強板部３５によって、前部パネル１０の下部張り出し部１０ａが補強される。下部張り出し部１０ａは、それ自体が横補強リブ１７ａと縦補強リブ１７ｂを有しているために、曲げに対する強度が高く、補強板３０の張り出し補強板部３５も隆起部３７を有しているために、曲げに対する強度が高い。さらに、横補強リブ１７ａと縦補強リブ１７ｂが隆起部３７の内面に押し付けられているため、下部張り出し部１０ａの強度がさらに高くなっている。
【００４４】
図４と図５に示すように、補強板３０には、段差片３４から後方へ延長された２個の上部挟持片３８と２個の下部挟持片３９が一体に設けられている。図７に示すように、上部挟持片３８と下部挟持片３９は上下に距離を空けて配置されている。それぞれの上部挟持片３８には、下向きに切り起こされた掛止突起３８ａが形成されている。
【００４５】
図５に示すように、筐体２の前方の端部３では、右側面７から内側に向けて窪み変形した窪み部７ａが形成されている。窪み部７ａは、右側面７から内側に折り曲げられて前後に延びる受け片７ｂと、受け片７ｂの内側から上方に折り曲げられた支持片７ｃと、支持片７ｃに形成された雌ねじ部７ｄとを有している。図６に示すように、窪み部７ａの上下の開き寸法ｈ０は、補強板３０に一体に形成された固定片３２の上下の幅寸法ｈ１よりも大きく形成されている。なお、前部パネル１０に設けられた支持片１８の上下の幅寸法は、固定片３２と同じである。
【００４６】
筐体２の左側面８にも窪み部８ａが設けられ、窪み部８ａは、受け片８ｂと支持片８ｃおよび雌ねじ部８ｄを有している。窪み部７ａと窪み部８ａは左右対称形状であり、各部の寸法が互いに同じである。
【００４７】
図５に示すように、筐体２の前方の端部３では、下側面６に掛止穴６ａ，６ａが開口し、上側面５に掛止穴５ａ，５ａが開口している。
【００４８】
前部パネル１０の背部１５が補強板３０で補強された状態で、前部パネル１０と補強板３０が筐体２の端部３に取り付けられる。その取付け作業は以下のように行うことができる。
【００４９】
互いに重なっている前部パネル１０の支持片１８と補強板３０の固定片３２を、筐体２の右側面７に形成された窪み部７ａと左側面８に形成された窪み部８ａの内部にそれぞれ介入させる。このとき、補強板３０に設けられた側部挟持片３３，３３を、筐体２の右側面７と左側面８を構成する金属板の内側に入り込ませる。次に、補強板３０から後方へ突出する上部挟持片３８と下部挟持片３９とで、筐体２の下側面６の金属板を上下から挟み、上部挟持片３８に形成された掛止突起３８ａを、下側面６に形成された掛止穴６ａに嵌合させる。
【００５０】
この取付け作業では、支持片１８および固定片３２を、窪み部７ａ，８ａの内部で上下に移動させることができるため、支持片１８と固定片３２を、窪み部７ａ，８ａに介入させたまま、上部挟持片３８と下部挟持片３９で、筐体２の下側面６を構成する金属板を挟めるように位置合わせすることができる。また、窪み部７ａの受け片７ｂと窪み部８ａの受け片８ｂとで、固定片３２，３２と一体の当接部３２ｃ，３２ｃを支え、当接部３２ｃ，３２ｃと受け片７ｂ，８ｂとの当接部を支点として、前部パネル１０を図６において時計方向または反時計方向へ回動させながら、上部挟持片３８と下部挟持片３９を、筐体２の下側面６を挟める位置に位置合わせることができる。
【００５１】
よって、前部パネル１０を手で持ち上げている状態を長い時間継続しなくても、上部挟持片３８と下部挟持片３９で、筐体２の下側面６の金属板を挟み込む作業を完了することができる。
【００５２】
上部挟持片３８と下部挟持片３９で、筐体２の下側面６を挟持した後に、前部パネル１０の上端面１１から突出している掛止突起１１ａ，１１ａ（図４参照）を、筐体２の上側面５の金属板に形成された掛止穴５ａ，５ａに嵌合させる。そして、図３と図６に示すように、固定ねじ５６を、補強板３０の固定片３２の取付け穴３２ａと前部パネル１０の支持片１８の取付け穴１８ａに挿入し、筐体２の窪み部７ａ，８ａに設けられた雌ねじ穴７ｄ，８ｄに螺着して、筐体２に対して前部パネル１０を固定する。図３と図６に示すように、全部パネル１０は、背部位置決め面１５ａが、筐体２の前方の端部３に密着した状態で固定される。
【００５３】
表示装置４０は、合成樹脂製の化粧枠４１の内側の液晶表示パネルなどの表示パネル４２が保持されており、その表示画面４２ａが前方に向けられている。化粧枠４１は、上端面４１ａと下端面４１ｂおよび右端面４１ｃと左端面４１ｄを有している。
【００５４】
図１に示すように、表示装置４０の右端面４１ｃと左端面４１ｄとの幅寸法Ｗ２は、筐体２の幅寸法Ｗ０よりも大きく、前部パネル１０の幅寸法Ｗ１よりもわずかに小さい。表示装置４０の上端面４１ａと下端面４１ｂとの高さ寸法Ｈ２は、筐体２の高さ寸法Ｈ０よりも大きく、前部パネル１０の高さ寸法Ｈ１よりもわずかに小さい。
【００５５】
図４に示すように、表示装置４０は、背部から後方へ突出する突出部４３を有している。突出部４３の内部には、表示パネル４２を駆動する駆動回路その他の電子回路が収納されている。表示装置４０は、突出部４３が設けられている部分で前後の厚さ寸法が大きく、それ以外の部分で厚さ寸法が小さい。
【００５６】
図４に示すように、突出部４３の左右方向の幅寸法Ｗ４は、筐体２の前方の端部３の幅寸法Ｗ１よりもやや小さく、高さ寸法Ｈ４は、筐体２の端部３の高さ寸法Ｈ１よりもやや小さい。
【００５７】
図６に示すように、筐体２の内部では、右側面７の内側に進退リンク５１と規制リンク５２が設けられ、左側面８の内側にも同じ構造の進退リンク５１と規制リンク５２が設けられている。進退リンク５１と規制リンク５２は、前部パネル１０の左右両側を貫通するリンク移動穴２１，２１から前方へ突出している。進退リンク５１の先端部は、表示装置４０の突出部４３の側部に形成された支持穴４３ａ（図４参照）に、支持ピン５３を介して回動自在に連結されている。規制リンク５２の先端部は、突出部４３の側部に形成された支持穴４３ｂ（図４参照）に、支持ピン５４を介して回動自在に連結されている。
【００５８】
規制リンク５２の基端に規制ピン５５が一体に固定されており、規制ピン５５が、筐体２の内部で上下に移動可能で、且つ規制リンク５２が規制ピン５５を支点として回動自在となっている。進退リンク５１にカム長穴５６が形成されており、前記規制ピン５５の姿勢がカム長穴５６で制御される。
【００５９】
図６に示すように、進退リンク５１が筐体２の内部に後退していると、表示装置４０が垂直姿勢となって、表示装置４０が前部パネル１０の前部にほぼ密着している。進退リンク５１が、前方へ突出すると、表示装置４０の下端部が前方へ移動し、これに追従して規制リンク５２が規制ピン５５を支点として回動する。その結果、図２に示すように、表示装置４０は、表示パネル４２の表示画面４２ａが上に向く突出姿勢となる。このとき、前部パネル１０に形成されたディスク挿入穴２２など各種メディア挿入口が露出し、筐体２の内部にメディアを挿入できるようになる。
【００６０】
図１と図６に示すように、表示装置４０が垂直姿勢のとき、表示装置４０はその一部が前部パネル１０の内部に入り込む。化粧枠４１の上端面４１ａと下端面４１ｂと右端面４１ｃおよび左端面４１ｄの後方部分は、前部パネル１０の上端面１１と下端面１２と右端面１３および左端面１４のそれぞれの内側に形成された凹部に入り込み、化粧枠４１の上端面４１ａと下端面４１ｂと右端面４１ｃおよび左端面４１ｄの後方部分が、前部パネル１０の上端面１１と下端面１２と右端面１３および左端面１４のそれぞれの内壁面に最小の隙間を有して対向する。
【００６１】
図６に示すように、前部パネル１０は、表示装置４０の突出部４３が対向して収まる部分が対向部２５である。対向部２５は、前部パネル１０において、下部張り出し部１０ａと右張り出し部１０ｂおよび左張り出し部１０ｃを除く部分とほぼ一致している。
【００６２】
図６に示すように、表示装置４０が垂直姿勢のときに、突出部４３が、前部パネル１０の対向部２５に対向し、突出部４３は、下部張り出し部１０ａと右張り出し部１０ｂおよび左張り出し部１０ｃのいずれの部分とも重ならない。表示装置４０の面積は、筐体２の前方の端部３の面積よりも大きく、図４に示す表示装置４０の突出部４３よりも下側に位置する下部延長部４０ａが、前部パネル１０の下部張り出し部１０ａの前方に設置され、突出部４３の側方に位置する側部延長部４０ｂ，４０ｃが、それぞれ前部パネル１０の右張り出し部１０ｂと左張り出し部１０ｃの前方に設置される。
【００６３】
図６では、表示装置４０の背部から突出部４３が突出する寸法をＴで示している。表示装置４０の下部延長部４０ａの背部は、突出部４３の背部よりも寸法Ｔだけ前方に位置している。よって、前部パネル１０の下部張り出し部１０ａにおいて、表示装置４０の下部延長部４０ａが対向する前面２６が、突出部４３が対向する対向部２５よりも前方に形成されている。
【００６４】
そのため、前部パネル１０の張り出し背面１５ｄを、筐体２の端部３より距離Ｌａだけ前方に位置させることができる。下部張り出し部１０ａでは、筐体２の端部３と張り出し背面１５ｄとの間に距離Ｌａの余裕スペースを形成することができ、このスペース内に、前部パネル１０のリブ１６を形成することができる。また、前記スペース内に、補強板３０の張り出し補強板部３５およびリブ片３６を位置させることができ、さらに、補強板３０の張り出し補強板部３５に隆起部３７を形成することができる。
【００６５】
表示装置４０の突出部４３との対向部２５が、筐体２の下側面６から下方へ張り出さないために、大きな表示装置４０を設置するために必要となる前部パネル１０を配置したときに、その下部張り出し部１０ａと筐体２の端部３との間に距離Ｌａの余裕を形成でき、この余裕スペースに、下部張り出し部１０ａの補強構造を配置することができる。
【００６６】
また、下部張り出し部１０ａに形成されたリブ１６の先端面１６ａや、補強板３０のリブ片３６および隆起部３７が、筐体２の端部３から前方に離れているので、車室内において、筐体２が埋設される箇所の下部に、他のパネルなどを配置しやすくなる。
【００６７】
なお、表示装置４０の突出部４３は、前部パネル１０の下部張り出し部１０ａまで延びていないことが必要であり、突出部４３が、右張り出し部１０ｂと左張り出し部１０ｃの前方にまで延びるように幅寸法Ｗ４が大きくてもよい。
【００６８】
また、下部張り出し部１０ａの代わりに、筐体２の上側面５から上方へ突出する上部張り出し部を設け、その背部が、筐体２の端部３よりも前方に位置するように構成してもよい。
【符号の説明】
【００６９】
１  車載用表示装置
２  筐体
３  筐体の前方の端部
４  後側面
５  上側面
６  下側面
７  右側面
７ａ  窪み部
７ｂ  受け片
７ｃ  支持片
７ｄ  雌ねじ穴
８  左側面
８ａ  窪み部
８ｂ  受け片
８ｃ  支持片
８ｄ  雄ねじ部
１０  前部パネル
１０ａ  下部張り出し部
１５  背部
１５ａ  背部位置決め面１５ａ
１５ｃ  補強板取付面
１５ｄ  張り出し背面
１７  補強突起
１７ａ  横補強リブ
１７ｂ  縦補強リブ
１８  支持片
２５  対向部
３０  補強板
３１  取付け板部
３２  固定片
３２ａ  取付け穴
３２ｃ  当接部
３５  張り出し補強板部
３７  隆起部
３８  上部挟持片
３９  下部挟持片
４０  表示装置
４０ａ  下部延長部
４２  表示パネル
４３  突出部
５１  進退リンク
５２  規制リンク
【図１】
0005523156.tif 000002
【図２】
0005523156.tif 000003
【図３】
0005523156.tif 000004
【図４】
0005523156.tif 000005
【図５】
0005523156.tif 000006
【図６】
0005523156.tif 000007
【図７】
0005523156.tif 000008